(57)【特許請求の範囲】
【請求項１】
プレーヤが投球動作を行うためのアプローチ部と、該アプローチ部から延設され、前記プレーヤの投じたボールが転動するレーンと、該レーンの、前記アプローチ部側とは反対側の端部上に整列，配置される複数のピンと、前記レーンの両側にこれに沿って設けられて、前記レーン上からこぼれ落ちるボールを受容する樋状のガターとを備えたボウリングゲーム装置において、
シート状に形成され、前記アプローチ部上面の、前記プレーヤの投球動作領域に敷設されて該投球動作領域を覆う保護部材と、
前記投球動作領域を覆う位置に前記保護部材を移動させる動作と、前記投球動作領域外の退避位置に前記保護部材を移動させる動作とを行う保護部材設置機構とを更に備えてなることを特徴とするボウリングゲーム装置。
【請求項２】
前記保護部材設置機構は、
前記投球動作領域外に設けられ、前記保護部材の一端部が接続されて該保護部材を巻き取る巻取手段と、前記保護部材の、前記巻取手段接続部側とは反対側の端部が接続され、該保護部材を前記巻取手段から引き出す引出手段とから構成され、
前記引出手段により前記保護部材を前記投球動作領域内に繰り出し、前記巻取手段により、前記投球動作領域内にある保護部材を前記退避位置に巻き取って回収するように構成されてなることを特徴とする請求項１記載のボウリングゲーム装置。
【請求項３】
前記保護部材設置機構は、前記保護部材に接続し、該保護部材を、その表面に平行な第１方向にスライド移動させて前記投球動作領域に移動させるとともに、前記第１方向とは反対の第２方向にスライド移動させて前記退避位置に移動させる駆動手段から構成されてなることを特徴とする請求項１記載のボウリングゲーム装置。
【請求項４】
前記保護部材設置機構は、前記保護部材の前記第１方向及び第２方向への移動を案内する案内手段を更に備えてなることを特徴とする請求項３記載のボウリングゲーム装置。
【請求項５】
前記投球動作領域に敷設された保護部材周縁の少なくとも一部を前記アプローチ部上面に固定する固定手段を更に備えてなることを特徴とする請求項１乃至４記載のいずれかのボウリングゲーム装置。
【発明の詳細な説明】
【技術分野】
【０００１】
本発明は、前方に複数のピンが整列，配置されたレーン上にボールを投じ、このレーン上を転動するボールにより前記ピンを倒して楽しむボウリングゲーム装置に関する。
【背景技術】
【０００２】
前記ボウリングゲーム装置は、プレーヤが投球動作を行うためのアプローチ部と、このアプローチ部から延設され、プレーヤの投じたボールが転動するレーンと、このレーンの、前記アプローチ部側とは反対側の端部上に配置される複数のピンと、レーンの両側にこれに沿って設けられて、当該レーン上からこぼれ落ちるボールを受容する樋状のガターなどから構成され、プレーヤは、倒したピンの数によって決定される得点を競い合うことで当該ゲームを楽しむ（特開２００５−３３４２２４号公報参照）。
【０００３】
【特許文献１】特開２００５−３３４２２４号公報
【発明の開示】
【発明が解決しようとする課題】
【０００４】
ところで、通常、プレーヤがプレーする際には、例えば、特開２００４−４９４７７号公報にも記載されているように、ボウリングシューズに履き替える必要があるが、プレーヤの大部分は、自分専用のボウリングシューズを持っておらず、ボウリング場で貸し出されているものを借りて使用しなければならない。
【０００５】
ボウリングシューズに履き替える必要があるのは、アプローチ部を保護するためや、プレーをする上で機能的であるからであるが、ボウリング場で貸し出されているボウリングシューズには、不特定多数のプレーヤによって使用されるという問題や、デザイン的に優れていないという問題があるため、ボウリングシューズに履き替えることに抵抗を持っているプレーヤも多く、プレーヤの中には、靴を履き替えることなく、もっと手軽にプレーをしたいという要望がある。また、ボウリングシューズを借りるに当たっては、レンタル料金を支払わなければならず、プレー代金が高くなる要因となっている。
【０００６】
本発明は、以上の実情に鑑みなされたものであって、ボウリングシューズに履き替えなくてもプレーすることができるボウリングゲーム装置の提供をその目的とする。
【課題を解決するための手段】
【０００７】
上記目的を達成するための本発明は、
プレーヤが投球動作を行うためのアプローチ部と、該アプローチ部から延設され、前記プレーヤの投じたボールが転動するレーンと、該レーンの、前記アプローチ部側とは反対側の端部上に整列，配置される複数のピンと、前記レーンの両側にこれに沿って設けられて、前記レーン上からこぼれ落ちるボールを受容する樋状のガターとを備えたボウリングゲーム装置において、
シート状に形成され、前記アプローチ部上面の、前記プレーヤの投球動作領域に敷設されて該投球動作領域を覆う保護部材と、
前記投球動作領域を覆う位置に前記保護部材を移動させる動作と、前記投球動作領域外の退避位置に前記保護部材を移動させる動作とを行う保護部材設置機構とを更に備えてなることを特徴とするボウリングゲーム装置に係る。
【０００８】
この発明によれば、プレーヤがボウリングシューズに履き替えていない場合には、保護部材設置機構によって保護部材がアプローチ部上面の投球動作領域に移動せしめられ、これにより、保護部材が投球動作領域に敷設されて当該投球動作領域が覆われる。そして、プレーヤは、自分の靴を履いたままで、保護部材に覆われたアプローチ部上面の投球動作領域で投球動作を行い、ボールをピンに衝突，転倒させるべくレーン上に投じることで、ボウリングゲームをプレーすることができる。
【０００９】
一方、プレーヤがボウリングシューズに履き替えている場合には、保護部材設置機構によって保護部材が投球動作領域外の退避位置に移動せしめられ、これにより、アプローチ部上面が露出した状態となる。そして、プレーヤは、保護部材に覆われていないアプローチ部上面の投球動作領域で投球動作を行ってボールをレーン上に投じることで、ボウリングゲームをプレーすることができる。
【００１０】
このように、本発明に係るボウリングゲーム装置によれば、保護部材設置機構によって保護部材をアプローチ部上面の投球動作領域に敷設することで、プレーヤは、ボウリングシューズに履き替えることなく、自分の靴を履いたままでプレーすることができるので、他人が履いたシューズやデザインの良くないシューズに履き替えることへの抵抗を無くしてより気軽にプレーさせることができたり、シューズを履き替えない分だけより手軽にプレーさせることができたり、ボウリングシューズのレンタル料金を支払わない分だけプレー代金を安くすることができる。
【００１１】
尚、前記保護部材設置機構は、前記投球動作領域外に設けられ、前記保護部材の一端部が接続されて該保護部材を巻き取る巻取手段と、前記保護部材の、前記巻取手段接続部側とは反対側の端部が接続され、該保護部材を前記巻取手段から引き出す引出手段とから構成され、前記引出手段により前記保護部材を前記投球動作領域内に繰り出し、前記巻取手段により、前記投球動作領域内にある保護部材を前記退避位置に巻き取って回収するように構成されていても良い。
【００１２】
また、前記保護部材設置機構は、前記保護部材に接続し、該保護部材を、その表面に平行な第１方向にスライド移動させて前記投球動作領域に移動させるとともに、前記第１方向とは反対の第２方向にスライド移動させて前記退避位置に移動させる駆動手段から構成されていても良い。また、この場合において、前記保護部材設置機構は、前記保護部材の前記第１方向及び第２方向への移動を案内する案内手段を更に備えて構成されていても良い。
【００１３】
このように、保護部材設置機構を、巻取手段及び引出手段から、又は駆動手段から構成すれば、保護部材を投球動作領域と退避位置と間で効果的に移動させることができる。また、案内手段を設けると、保護部材のスムーズな移動を確保し、当該保護部材を移動させるのに好適となる。
【００１４】
また、前記ボウリングゲーム装置は、前記投球動作領域に敷設された保護部材周縁の少なくとも一部を前記アプローチ部上面に固定する固定手段を更に備えて構成されていても良い。このようにすれば、固定手段によって保護部材の周縁をアプローチ部上面に固定することで、保護部材がプレーヤの投球動作時に動いたり、捲れ上がるのを防止し、安全にプレーさせることができるとともに、アプローチ部がプレーヤに直接踏まれて傷むのを防止することができる。
【００１５】
また、前記保護部材は、可撓性を有するものに限られず、可撓性を有しないものから構成されていても良く、また、フィルム状のものやスポンジ状のもの、ゴム状のものから構成したり、プレート状をした複数の部材を所定方向に連結して構成することもできる。
【発明の効果】
【００１６】
以上のように、本発明に係るボウリングゲーム装置によれば、ボウリングシューズに履き替えなくてもプレーすることができるので、プレーヤは、従来に比べて、より気軽に、より手軽に、より安くボウリングゲームを楽しむことができる。
【発明を実施するための最良の形態】
【００１７】
以下、本発明の具体的な実施形態について、添付図面に基づき説明する。尚、図１は、本発明の一実施形態に係るボウリングゲーム装置の概略構成を示した斜視図であり、図２は、図１に示したボウリングゲーム装置の平面図である。また、図３及び図４は、図２における矢示Ａ−Ａ方向の断面図であり、図５及び図６は、図３における矢示Ｂ−Ｂ方向の断面図である。
【００１８】
図１乃至図６に示すように、本例のボウリングゲーム装置１は、プレーヤが投球動作を行うためのアプローチ部１０と、このアプローチ部１０から延設され、プレーヤの投じたボールが転動するレーン１１と、このレーン１１の、アプローチ部１０側とは反対側の端部上に整列，配置された１０本のピン１２と、このレーン１１の両側にこれに沿って設けられた樋状のガター１３と、アプローチ部１０の上面の、プレーヤの投球動作領域に敷設されて当該投球動作領域を覆う保護部材２０と、保護部材２０を、投球動作領域を覆う位置及び投球動作領域外の退避位置に移動させる保護部材設置機構３０と、投球動作領域に敷設された保護部材２０をアプローチ部１０の上面に固定する固定機構２５などを備え、これらの複数組が横方向に並設される。
【００１９】
尚、相互に隣接するガター１３間には、分離部１４が設けられており、レーン１１及びガター１３からなる各プレー領域が、この分離部１４によって相互に分離されている。また、ピン１２が配置される部分の両側のガター１３間には隔壁１５が設けられ、この隔壁１５によっても前記各プレー領域が分離されている。また、レーン１１の上方の隔壁１５間には、カバー１６が設けられ、このカバー１６及び隔壁１５によって囲まれる空間内のレーン１１上に１０本のピン１２が配置される。また、アプローチ部１０，レーン１１及びガター１３などは適宜設置面Ｓ上に配設されている。
【００２０】
前記保護部材２０は、シート状且つ矩形状に形成されるとともに、可撓性を有するように構成され、その幅方向両側の各辺がレーン１１の長手方向と平行に設けられる。また、保護部材２０の幅方向の長さは、分離部１４間の距離と略等しく形成される。
【００２１】
前記保護部材設置機構３０は、投球動作領域外に設けられ、保護部材２０を巻き取る巻取装置３１と、保護部材２０を巻取装置３１から引き出す引出装置３４とから構成される。
【００２２】
前記巻取装置３１は、軸線がレーン１１の幅方向と平行に配置され、保護部材２０の一端側が接続されて当該保護部材２０を巻き取る巻取ドラム３２と、巻取ドラム３２を所定の巻取方向（図４における矢示方向）に付勢するばね体（図示せず）と、アプローチ部１０の、レーン１１側とは反対側の端部側面に接するように設置面Ｓ上に設けられ、巻取ドラム３２及びばね体（図示せず）を内部に収容するケース３３などを備える。
【００２３】
前記ケース３３は、アプローチ部１０に接する側の側面が開口し、内部空間の天井面がアプローチ部１０の上面よりも高く形成されており、この天井面とアプローチ部１０の上面との間に形成された開口部３３ａから保護部材２０が出入りするようになっている。また、このケース３３は、巻取ドラム３２を回転自在に支持している。
【００２４】
前記引出装置３４は、保護部材２０の幅方向両端部であり且つ巻取ドラム３２の接続部側とは反対側の端部に一端側がそれぞれ接続したワイヤロープ３５と、軸線がレーン１１の幅方向と平行に配置され、ワイヤロープ３５の他端側が滑車３６を経由して接続されて当該ワイヤロープ３５を巻き取る巻取ドラム３７と、巻取ドラム３７を軸線中心に回転させる駆動モータ３８と、分離部１４のアプローチ部１０側に配設され、滑車３６，巻取ドラム３７及び駆動モータ３８を内部に収容するケース３９などを備える。尚、前記滑車３６，巻取ドラム３７，駆動モータ３８及びケース３９は、各ワイヤロープ３５に対応してそれぞれ２個ずつ設けられている。
【００２５】
前記ケース３９は、下面の高さ位置がアプローチ部１０の上面よりも高く配置され、下面が開口して形成される。また、このケース３９は、滑車３６及び巻取ドラム３７を回転自在に支持している。また、このケース３９内には、隣りのレーン１１に係る投球動作領域を覆う保護部材２０を引き出すための滑車３６，巻取ドラム３７及び駆動モータ３８も収容されている。
【００２６】
この保護部材設置機構３０によれば、図３に示すように、引出装置３４の駆動モータ３８によって巻取ドラム３７がワイヤロープ３５の巻取方向（矢示方向）に回転せしめられ、当該巻取ドラム３７にワイヤロープ３５が巻き取られると、巻取装置３１の巻取ドラム３２がばね体（図示せず）の付勢力に抗して保護部材２０の繰出方向（矢示方向）に回転し、当該巻取ドラム３２に巻き取られていた保護部材２０が投球動作領域内に繰り出される。これにより、保護部材２０は投球動作領域に敷設される。尚、保護部材２０は、その先端部（レーン１１側の端部）がアプローチ部１０とレーン１１の境界部に達するまで繰り出される。
【００２７】
一方、図４に示すように、引出装置３４の駆動モータ３８によって巻取ドラム３７がワイヤロープ３５の繰出方向（矢示方向）に回転せしめられ、巻取ドラム３７からワイヤロープ３５が繰り出されると、巻取装置３１の巻取ドラム３２がばね体（図示せず）の付勢力によって保護部材２０の巻取方向（矢示方向）に回転し、投球動作領域内に繰り出されていた保護部材２０が当該巻取ドラム３２に巻き取られる。これにより、保護部材２０は退避位置に回収される。尚、保護部材２０は、その先端部（レーン１１側の端部）が若干ケース３３から出た状態となるまで巻き取られる。
【００２８】
前記固定機構２５は、投球動作領域に敷設された保護部材２０の四隅を押さえて当該保護部材２０をアプローチ部１０の上面に固定するものであり、アプローチ部１０の上面に、レーン１１の長手方向に平行な軸線中心に揺動自在に取り付けられ、保護部材２０の表面に当接して押さえる押さえ部材２６と、押さえ部材２６を保護部材２０の表面から離れる方向（図６における矢示方向）に付勢するばね体（図示せず）と、押さえ部材２６の下方に配設され、当該押さえ部材２６に当接する昇降ロッド２７ａを備えた駆動シリンダ２７などから構成される。尚、駆動シリンダ２７は、アプローチ部１０の上面且つ保護部材２０の巻取装置３１側及び引出装置３４側における幅方向両側にそれぞれ開口した収容穴１０ａ内に配置されている。
【００２９】
この固定機構２５によれば、図５に示すように、駆動シリンダ２７の昇降ロッド２７ａが上昇せしめられると、押さえ部材２６がばね体（図示せず）の付勢力に抗して保護部材２０の表面側（矢示方向）に揺動し、これにより、保護部材２０の表面がアプローチ部１０の上面に押さえ付けられて当該保護部材２０が固定される。
【００３０】
一方、図６に示すように、駆動シリンダ２７の昇降ロッド２７ａが下降せしめられると、押さえ部材２６がばね体（図示せず）の付勢力によって保護部材２０の表面から離れる方向（矢示方向）に揺動し、これにより、押さえ部材２６による保護部材２０の固定が解除される。
【００３１】
尚、前記保護部材設置機構３０及び固定機構２５は、保護部材２０を投球動作領域に繰り出した後、当該保護部材２０を固定するとともに、保護部材２０の固定を解除した後、当該保護部材２０を巻き取るように制御される。
【００３２】
以上のように構成された本例のボウリングゲーム装置１によれば、ボウリングシューズに履き替えていないプレーヤがプレーする場合には、例えば、図示しない適宜敷設実行ボタンを押すことなどによって前記保護部材設置機構３０及び固定機構２５を駆動させる。これにより、保護部材設置機構３０の引出装置３４によって保護部材２０が投球動作領域に繰り出され、当該投球動作領域が保護部材２０により覆われるとともに、固定機構２５によって保護部材２０がアプローチ部１０の上面に固定される。
【００３３】
この後、プレーヤは、自分の靴を履いたままで、保護部材２０に覆われたアプローチ部１０の上面の投球動作領域で投球動作を行い、ボールをピン１２に衝突，転倒させるべくレーン１１上に投じて、ボウリングゲームをプレーする。
【００３４】
一方、ボウリングシューズに履き替えたプレーヤがプレーする場合には、例えば、図示しない適宜敷設解除ボタンを押すことなどによって前記保護部材設置機構３０及び固定機構２５を駆動させる。これにより、固定機構２５による保護部材２０の固定が解除されるとともに、保護部材設置機構３０の巻取装置３１によって保護部材２０が巻き取られる。
【００３５】
この後、プレーヤは、保護部材２０に覆われていないアプローチ部１０の上面の投球動作領域で投球動作を行い、ボールをレーン１１上に投じて、ボウリングゲームをプレーする。
【００３６】
斯くして、本例のボウリングゲーム装置１によれば、保護部材設置機構３０によって保護部材２０をアプローチ部１０の上面の投球動作領域に敷設することで、プレーヤは、ボウリングシューズに履き替えることなく、自分の靴を履いたままでプレーすることができるので、他人が履いたシューズやデザインの良くないシューズに履き替えることへの抵抗を無くしてより気軽にプレーさせることができたり、シューズを履き替えない分だけより手軽にプレーさせることができたり、ボウリングシューズのレンタル料金を支払わない分だけプレー代金を安くすることができる。
【００３７】
また、固定機構２５により、投球動作領域に敷設された保護部材２０の四隅を押さえて当該保護部材２０をアプローチ部１０の上面に固定しているので、保護部材２０がプレーヤの投球動作時に動いたり、捲れ上がるのを防止し、安全にプレーさせることができるとともに、アプローチ部１０がプレーヤに直接踏まれて傷むのを防止することができる。
【００３８】
以上、本発明の一実施形態について説明したが、本発明の採り得る具体的な態様は、何らこれに限定されるものではない。
【００３９】
上例では、保護部材設置機構３０を、巻取装置３１及び引出装置３４から構成したが、これに限られるものではなく、例えば、図７乃至図９に示すような保護部材設置機構５０としたり、図１０乃至図１３に示すような保護部材設置機構７０としたり、図１４に示すような保護部材設置機構８０とすることもできる。
【００４０】
前記保護部材設置機構５０は、図７乃至図９に示すように、保護部材２０のレーン１１の長手方向両端部にそれぞれ接続し、保護部材２０を移動させるための第１駆動装置５１及び第２駆動装置５７と、保護部材２０の移動方向において第１駆動装置５１と第２駆動装置５７との間に設けられ、保護部材２０の移動方向を反転させるためのローラ６０とから構成される。
【００４１】
前記第１駆動装置５１は、保護部材２０の幅方向両端部であり且つレーン１１側の端部に一端側がそれぞれ接続したワイヤロープ５２と、軸線がレーン１１の幅方向と平行に配置され、ワイヤロープ５２の他端側が滑車５３を経由して接続されて当該ワイヤロープ５２を巻き取る巻取ドラム５４と、巻取ドラム５４を軸線中心に回転させる駆動モータ５５と、分離部１４のアプローチ部１０側に配設され、滑車５３，巻取ドラム５４及び駆動モータ５５を内部に収容するケース５６などを備える。尚、前記滑車５３，巻取ドラム５４，駆動モータ５５及びケース５６は、各ワイヤロープ５２に対応してそれぞれ２個ずつ設けられる。
【００４２】
前記ケース５６は、内部空間の天井面がアプローチ部１０の上面よりも高く形成されるとともに、アプローチ部１０側の側面の、アプローチ部１０の上面よりも上側に開口部５６ａが形成されており、この開口部５６ａからワイヤロープ５２が出入りするようになっている。また、このケース５６は、滑車５３及び巻取ドラム５４を回転自在に支持する。また、このケース５６内には、隣りのレーン１１に係る保護部材２０を移動させるための滑車５３，巻取ドラム５４及び駆動モータ５５も収容されている。
【００４３】
前記第２駆動装置５７は、保護部材２０の幅方向両端部であり且つ第１駆動装置５１のワイヤロープ５２の接続部側とは反対側の端部に一端側がそれぞれ接続したワイヤロープ５８と、軸線がレーン１１の幅方向と平行に配置されるとともに、軸線中心に回転自在に支持され、ワイヤロープ５８の他端側が接続されて当該ワイヤロープ５８を巻き取る巻取ドラム５９と、巻取ドラム５９を軸線中心に回転させる駆動モータ（図示せず）などを備えており、前記巻取ドラム５９及び駆動モータ（図示せず）は、アプローチ部１０の、レーン１１側とは反対側の端部側面に開口した収容穴１０ｂ内に収容されている。尚、前記巻取ドラム５９及び駆動モータ（図示せず）は、各ワイヤロープ５８に対応してそれぞれ２個ずつ設けられる。
【００４４】
前記ローラ６０は、軸線がレーン１１の幅方向と平行に配置され、外周面が保護部材２０の裏面と当接するように配置されており、アプローチ部１０の、レーン１１側とは反対側の端部側面に接するように設置面Ｓ上に設けられたケース６１の内部に回転自在に支持されている。また、ローラ６０の両端部には、第２駆動装置５７のワイヤロープ５８を掛けるための溝６０ａが形成されている。
【００４５】
尚、前記ケース６１は、アプローチ部１０に接する側の側面が開口して内部空間とアプローチ部１０の収容穴１０ｂとが連通状態に設けられるとともに、内部空間の天井面がアプローチ部１０の上面よりも高く形成されており、この天井面とアプローチ部１０の上面との間に形成された開口部６１ａから保護部材２０が出入りするようになっている。
【００４６】
このように構成された保護部材設置機構５０によれば、図８に示すように、第１駆動装置５１の駆動モータ５５により巻取ドラム５４がワイヤロープ５２の巻取方向（矢示方向）に回転せしめられて当該巻取ドラム５４にワイヤロープ５２が巻き取られるとともに、第２駆動装置５７の駆動モータ（図示せず）により巻取ドラム５９がワイヤロープ５８の繰出方向（矢示方向）に回転せしめられて当該巻取ドラム５９からワイヤロープ５８が繰り出されると、退避位置にある保護部材２０が投球動作領域に移動する。このとき、保護部材２０は、アプローチ部１０の上面部分ではレーン１１の長手方向にスライド移動し、その先端部（レーン１１側の端部）がアプローチ部１０とレーン１１の境界部に達するまで移動せしめられる。これにより、保護部材２０は投球動作領域に送り出されて敷設される。
【００４７】
一方、図９に示すように、第１駆動装置５１の駆動モータ５５により巻取ドラム５４がワイヤロープ５２の繰出方向（矢示方向）に回転せしめられて当該巻取ドラム５４からワイヤロープ５２が繰り出されるとともに、第２駆動装置５７の駆動モータ（図示せず）により巻取ドラム５９がワイヤロープ５８の巻取方向（矢示方向）に回転せしめられて当該巻取ドラム５９にワイヤロープ５８が巻き取られると、投球動作領域にある保護部材２０がアプローチ部１０の収容穴１０ｂ及びケース６１の内部空間により形成される退避位置に移動する。このとき、保護部材２０は、アプローチ部１０の上面部分ではレーン１１の長手方向に平行にスライド移動し、その先端部（レーン１１側の端部）がケース６１内に収まるまで移動せしめられる。これにより、保護部材２０は退避位置に引き込まれる。
【００４８】
前記保護部材設置機構７０は、図１０乃至図１３に示すように、軸線がレーン１１の幅方向と平行に配置され、保護部材２０を移動させるための第１ローラ７１，第２ローラ７２及び第３ローラ７３と、第１ローラ７１を軸線中心に回転させる駆動モータ７４と、アプローチ部１０の、レーン１１側とは反対側の端部側面に接するように設置面Ｓ上に設けられ、第１ローラ７１，第２ローラ７２，第３ローラ７３及び駆動モータ７４を内部に収容するケース７５と、保護部材２０の移動を案内する案内機構７６とから構成される。
【００４９】
前記第１ローラ７１は、外周面が保護部材２０の裏面と当接するようにケース７５によって軸線中心に回転自在に支持され、前記第２ローラ７２及び第３ローラ７３は、外周面が保護部材２０の表面と当接するようにケース７５によって軸線中心に回転自在に支持されており、保護部材２０は、これらの各ローラ７１，７２，７３によって挟持された状態となっている。
【００５０】
前記ケース７５は、アプローチ部１０に接する側の側面が開口して、内部空間と、アプローチ部１０の、レーン１１側とは反対側の端部側面に開口した収容穴１０ｂとが連通状態に設けられるとともに、内部空間の天井面がアプローチ部１０の上面よりも高く形成されており、この天井面とアプローチ部１０の上面との間に形成された開口部７５ａから保護部材２０が出入りするようになっている。
【００５１】
前記案内機構７６は、アプローチ部１０の上面にレーン１１の幅方向と平行な方向に一定間隔を隔てて立設された第１案内部材７７と、アプローチ部１０の収容穴１０ｂ内にレーン１１の幅方向と平行な方向に一定間隔を隔てて設けられた第２案内部材７８とからなり、前記第１案内部材７７及び第２案内部材７８は、レーン１１の長手方向と平行に形成され、保護部材２０の幅方向両端部に係合して当該保護部材２０のレーン１１の長手方向への移動を案内する。尚、これらの案内部材７７，７８を設けているのは、保護部材２０のスムーズな移動を確保し、当該保護部材２０を移動させるのに好適となるからである。
【００５２】
このように構成された保護部材設置機構７０によれば、図１１に示すように、駆動モータ７４により第１ローラ７１が矢示方向に回転せしめられると、退避位置にある保護部材２０が、第１案内部材７７及び第２案内部材７８により案内されて投球動作領域に移動する。このとき、保護部材２０は、アプローチ部１０の上面部分ではレーン１１の長手方向に平行にスライド移動し、その先端部（レーン１１側の端部）がアプローチ部１０とレーン１１の境界部に達するまで移動せしめられる。これにより、保護部材２０は投球動作領域に送り出されて敷設される。
【００５３】
一方、図１２に示すように、駆動モータ７４により第１ローラ７１が矢示方向に回転せしめられると、投球動作領域にある保護部材２０が、第１案内部材７７及び第２案内部材７８により案内されて、アプローチ部１０の収容穴１０ｂ及びケース７５の内部空間によって形成される退避位置に移動する。このとき、保護部材２０は、アプローチ部１０の上面部分ではレーン１１の長手方向に平行にスライド移動し、その先端部（レーン１１側の端部）が若干ケース７５から出た状態となるまで移動せしめられる。これにより、保護部材２０は退避位置に引き込まれる。
【００５４】
前記保護部材設置機構８０は、図１４に示すように、軸線がレーン１１の長手方向と平行に配置され、保護部材２０を移動させるための第１ローラ８１，第２ローラ８２及び第３ローラ８３と、第１ローラ８１を軸線中心に回転させる駆動モータ８４などから構成される。尚、アプローチ部１０には、レーン１１の幅方向における分離部１４と略同じ位置で上方に突出した突出部１０ｃが形成されるとともに、この突出部１０ｃの、レーン１１の幅方向に平行な方向の側面の一方には、前記第１ローラ８１，第２ローラ８２，第３ローラ８３及び駆動モータ（図示せず）や保護部材２０を収容するための収容穴１０ｄが開口している。
【００５５】
前記第１ローラ８１は、収容穴１０ｄの開口部近傍に軸線中心に回転自在に配置され、外周面が保護部材２０の裏面と当接するように構成され、前記第２ローラ８２は、第１ローラ８１及び第３ローラ８２の一つの上方位置に軸線中心に回転自在に配置され、外周面が保護部材２０の表面と当接するように構成され、前記第３ローラ８３は、軸線中心に回転自在に且つレーン１１の幅方向に所定間隔で配置され、外周面が保護部材２０の裏面と当接するように構成されており、保護部材２０は、これらの各ローラ８１，８２，８３によって挟持された状態となっている。
【００５６】
このように構成された保護部材設置機構８０によれば、図１４に示すように、駆動モータ（図示せず）により第１ローラ８１が矢示Ｆ方向に回転せしめられると、退避位置にある保護部材２０が投球動作領域に移動する。このとき、保護部材２０は、アプローチ部１０の上面部分ではレーン１１の幅方向に平行にスライド移動し、その先端部が、レーン１１の幅方向と平行な方向における、突出部１０ｃの他方の側面に接近するまで移動せしめられる。これにより、保護部材２０は投球動作領域に送り出されて敷設される。
【００５７】
一方、図１４に示すように、駆動モータ（図示せず）により第１ローラ８１が矢示Ｇ方向に回転せしめられると、投球動作領域にある保護部材２０が退避位置たるアプローチ部１０の収容穴１０ｄ内に移動する。このとき、保護部材２０は、アプローチ部１０の上面部分ではレーン１１の幅方向に平行にスライド移動し、その先端部が収容穴１０ｄに収まるまで移動せしめられる。これにより、保護部材２０は退避位置に引き込まれる。
【００５８】
また、前記固定機構２５の構成についても、上例のものに限られるものではなく、例えば、図１０乃至図１３に示すような構成としても良い。同図１０乃至図１３に示した固定機構９０は、保護部材２０の表面に当接して押さえる押さえ部材９１と、アプローチ部１０の上面且つ保護部材２０のレーン１１側における幅方向両側にそれぞれ配設され、下端に押さえ部材９１を支持する昇降ロッド９２ａを備えた駆動シリンダ９２などから構成される。
【００５９】
このように構成された固定機構９０によれば、図１１及び図１３に示すように、駆動シリンダ９２の昇降ロッド９２ａが下降せしめられると、押さえ部材９１が保護部材２０の表面に当接し、当該保護部材２０の表面がアプローチ部１０の上面に押さえ付けられて当該保護部材２０が固定される。
【００６０】
一方、図１２及び図１３に示すように、駆動シリンダ９２の昇降ロッド９２ａが上昇せしめられると、押さえ部材９１が保護部材２０の表面から離れ、当該押さえ部材９１による保護部材２０の固定が解除される。
【００６１】
また、固定機構２５や固定機構９０は、アプローチ部１０の上面からあまり突出しない、フラットな構造をなるべく採用することが好ましい。
【００６２】
また、前記各保護部材設置機構３０，５０，７０，８０において、保護部材２０を移動させる方向は一例を示したものであり、限定されるものではない。また、前記各保護部材設置機構３０，５０において、ワイヤロープ３５，５２は、アプローチ部１０の上方に設けるようにしたが、これに限られるものではなく、アプローチ部１０の上面に適宜溝を形成して、この溝内にワイヤロープ３５，５２を通すようにしても良い。
【００６３】
また、前記保護部材２０は、可撓性を有するものに限られず、可撓性を有しないものから構成されていても良く、また、フィルム状のものやスポンジ状のもの、ゴム状のものから構成したり、プレート状をした複数の部材を所定方向に連結して構成しても良い。また、更に、保護部材２０の裏面やアプローチ部１０の上面にローラを適宜設けてアプローチ部１０の上面と保護部材２０の裏面とが直接触れるの防止すれば、アプローチ部１０の上面が傷つくのを防止することができる。
【図面の簡単な説明】
【００６４】
【図１】本発明の一実施形態に係るボウリングゲーム装置の概略構成を示した斜視図である。
【図２】図１に示したボウリングゲーム装置の平面図である。
【図３】図２における矢示Ａ−Ａ方向の断面図である。
【図４】図２における矢示Ａ−Ａ方向の断面図である。
【図５】図３における矢示Ｂ−Ｂ方向の断面図である。
【図６】図３における矢示Ｂ−Ｂ方向の断面図である。
【図７】本発明の他の実施形態に係る保護部材設置機構の概略構成を示した平面図である。
【図８】図７における矢示Ｃ−Ｃ方向の断面図である。
【図９】図７における矢示Ｃ−Ｃ方向の断面図である。
【図１０】本発明の他の実施形態に係る保護部材設置機構及び固定機構の概略構成を示した平面図である。
【図１１】図１０における矢示Ｄ−Ｄ方向の断面図である。
【図１２】図１０における矢示Ｄ−Ｄ方向の断面図である。
【図１３】図１１における矢示Ｅ−Ｅ方向の断面図である。
【図１４】本発明の他の実施形態に係る保護部材設置機構の概略構成を示した断面図である。
【符号の説明】
【００６５】
１    ボウリングゲーム装置
１０  アプローチ部
１１  レーン
１２  ピン
１３  ガター
１４  分離部
２０  保護部材
２５  固定機構
２６  押さえ部材
２７  駆動シリンダ
３０  保護部材設置機構
３１  巻取装置
３２  巻取ドラム
３３  ケース
３４  引出装置
３５  ワイヤロープ
３６  滑車
３７  巻取ドラム
３８  駆動モータ
３９  ケース
【図１】
0004547348.tif 000002
【図２】
0004547348.tif 000003
【図３】
0004547348.tif 000004
【図４】
0004547348.tif 000005
【図５】
0004547348.tif 000006
【図６】
0004547348.tif 000007
【図７】
0004547348.tif 000008
【図８】
0004547348.tif 000009
【図９】
0004547348.tif 000010
【図１０】
0004547348.tif 000011
【図１１】
0004547348.tif 000012
【図１２】
0004547348.tif 000013
【図１３】
0004547348.tif 000014
【図１４】
0004547348.tif 000015